(57)【要約】【課題】高速信号伝送用コネクタを提供する。【解決手段】  防水効果を高めた高速信号伝送用コネクタの一種である。少なくとも１つの殼体１及び１つの端子盤２を含む。上記殼体１を第１止水シール１２に設置し、上記殼体１と端子盤２の間に第２止水シール２１を設置し、上記端子盤２の内部に第３止水シール２６を設置することによって、第２止水シール２１及び第３止水シール２６を利用してコネクタ内部に防水効果を与える。更に、コネクタも第１止水シール１２を通して防水連結効果を備える。これらの三重の防水技術を利用して、外部の水が絶対にコネクタ内部に浸入しないことを確保する。また、高速信号伝送用コネクタの防水性及び安全性を高める。【選択図】図２
2019033065.tif 000002
【特許請求の範囲】
【請求項１】
少なくとも１つの殼体及び１つの端子盤を含み、
前記殼体の内部に第１長穴を設け、前記端子盤を中に設置し、前記殼体の内側の後端に１つの第１内リングを設置し、前記第１内リングの後側に１つの第１段状槽を設置し、
前記端子盤の外側の後端に１つの第２外リングを設置し、前記第２外リングの前端に第２凹入リングを設置し、前記殼体の前記第１内リングの前記第１段状槽と前記端子盤の前記第２外リングの前記第２凹入リングとの間に１つの第２止水シールを挟み、水が前記殼体と前記端子盤の接続部から内部に浸入することを防ぎ、
前記端子盤の内部に第２長穴を設け、前記第２長穴を第１絶縁部品及び第２絶縁部品の内部に設置し、また複数の端子を前記第１絶縁部品及び前記第２絶縁部品の内部に設置し、前記端子と前記端子盤を絶縁させ、
前記端子盤の内側の後端に第２内リングを設け、前記第２内リングの前側を第２段状槽に設置し、その中に第３止水シールを設け、
前記端子、前記第２段状槽、前記第１絶縁部品と前記第２絶縁部品との間に前記第３止水シールを挟み、水が前記端子盤と前記端子の接続部から内部に浸入することを防ぎ、防水効果を高める、
ことを特徴とする高速信号伝送用コネクタ。
【請求項２】
前記第２外リングの形状は前記第１内リングの形状と対応し、前記端子盤と前記殼体の接続方向に定位させる、
ことを特徴とする請求項１に記載の高速信号伝送用コネクタ。
【請求項３】
前記端子盤と前記殼体との間に１つのストップワッシャーを設置し、前記端子盤を前記殼体の内部の位置に置き、接続効果を確保する、
ことを特徴とする請求項１に記載の高速信号伝送用コネクタ。
【請求項４】
前記端子盤は前端部と後端部を備え、前記前端部の外径は前記後端部の外径より小さく、前記端子盤の前記前端部を利用して前記ストップワッシャーを前記端子盤と前記殼体との間に置くことができ、
また前記端子盤の前記後端部を通して前記ストップワッシャーを前記端子盤と前記殼体の間に固定する、
ことを特徴とする請求項３に記載の高速信号伝送用コネクタ。
【請求項５】
前記殼体の外側の後端に１つの第１外リングを設置し、前記第１外リングの前端に１つの第１凹入リングを設置し、第１止水シールをその中に設置する、
ことを特徴とする請求項１に記載の高速信号伝送用コネクタ。
【請求項６】
前記第２外リングの形状は前記殼体の前記第１内リングの形状と対応し、前記端子盤と前記殼体の接続方向に定位させる、
ことを特徴とする請求項５に記載の高速信号伝送用コネクタ。
【請求項７】
前記端子盤と前記殼体との間に１つのストップワッシャーを設置し、前記端子盤を前記殼体の内部の位置に置き、接続効果を確保し、
かつ前記端子盤は前端部と後端部を備え、前記前端部の外径は前記後端部の外径より小さく、前記端子盤の前記前端部を利用して前記ストップワッシャーを前記端子盤と前記殼体との間に置くことができ、
また前記端子盤の前記後端部を通して前記ストップワッシャーを前記端子盤と前記殼体との間に固定する、
ことを特徴とする請求項５に記載の高速信号伝送用コネクタ。
【発明の詳細な説明】
【技術分野】
【０００１】
本発明は、高速信号伝送用コネクタに関する。特に、本体内部に防水機能と防水連結機能を備える高速信号伝送用コネクタに関する。
【背景技術】
【０００２】
今までの技術は、全ての電子設備を乗り物の内部に設置し、また高速信号伝送用コネクタによって電子設備の信号を伝送する。よって、従来の信号伝送用コネクタは全然防水機能がなく、無水環境にのみ適用される。
【０００３】
しかし、科学技術の進歩に伴い、乗り物の外部に電子設備を取り付ける需要が多くなりつつある。例えば３６０度全方位ドライブレコーダー、カメラ、バック駐車用カメラ又はレーザー距離測定器などである。
一方、外部にある電子設備は、外部の水と接触すると、水は外部にある電子設備の接続部から浸入したり、また信号線に沿って乗り物の内部に流れ込んだりするおそれがある。
【０００４】
従来の信号伝送用コネクタは防水機能がないために、水がコネクタに流れ込むと、コネクタの接続部から浸入したり、直接コネクタの内部に浸入したりし、流れ込んだ水が電子設備を損壊することにより、交通安全と電子設備の使用寿命に影響を与える。
なお、高速信号伝送用コネクタは、例えば特許文献１に開示されている。
【先行技術文献】
【特許文献】
【０００５】
【特許文献１】特開２０１５−１７９５６９
【発明の概要】
【発明が解決しようとする課題】
【０００６】
本発明の目的は、従来の信号伝送用コネクタに防水機能がないという問題を解決するために、三重の防水技術を利用して、外部の水が絶対にコネクタ内部に浸入しないことを確保し、高速信号伝送用コネクタの防水性及び安全性を高めることである。
【課題を解決するための手段】
【０００７】
上記目的を達成するために、本発明の高速信号伝送用コネクタは、少なくとも１つの殼体及び１つの端子盤を含み、殼体内部に第１長穴を設け、端子盤を中に設置する。殼体の内側後端に１つの第１内リングを設置し、第１内リングの後側に１つの第１段状槽を設置する。
【０００８】
端子盤の外側後端に１つの第２外リングを設置し、第２外リングの前端に第２凹入リングを設置し、殼体の第１内リングの第１段状槽と端子盤の第２外リングの第２凹入リングとの間に１つの第２止水シールを挟むことによって、水が殼体と端子盤の接続部からコネクタ内部に浸入することを防ぐ。
端子盤内部に第２長穴を設け、第２長穴を第１絶縁部品及び第２絶縁部品内に設置し、また複数端子を第１絶縁部品及び第２絶縁部品内に設置することによって、端子と端子盤を絶縁させる。
端子盤の内側後端に第２内リングを設け、第２内リングの前側を第２段状槽に設置することによって、その中に第３止水シールを設ける。端子、第２段状槽、第１絶縁部品と第２絶縁部品との間に第３止水シールを挟むことによって、水が端子盤と端子の接続部からコネクタ内部に浸入することを防ぎ、防水効果を高める。
【図面の簡単な説明】
【０００９】
【図１】本発明の正面図である。
【図２】図１のＡ-Ａ断面図である。
【図３】本発明の分解斜視図である。
【図４】本発明の斜視図である。
【図５】本発明のもう一つの斜視図である。
【発明を実施するための形態】
【００１０】
以下に、本願発明の防水効果を高めた高速信号伝送用コネクタの最良の実施方式をより良く理解できるように、図１〜５を用いて説明する。
【実施例】
【００１１】
本実施例による防水効果を高めた高速信号伝送用コネクタは、少なくとも１つの殼体１及び１つの端子盤２を含む。
【００１２】
上記殼体１の内部に第１長穴１０を設け、端子盤２を中に設置する。上記殼体１の外側の後端に１つの第１外リング１１を設置し、第１外リング１１の前端に１つの第１凹入リング１１０を設置し、第１止水シール１２を中に設置する（図４参照）。
よって、コネクタと信号線を接続するとき、第１止水シール１２により外部の水が殼体１の第１外リング１１からコネクタ内部に浸入することを防ぐことができる。
【００１３】
上記殼体１の内側の後端に１つの第１内リング１３を設置し、第１内リング１３の後側に１つの第１段状槽１３０を設置し、第２止水シール２１を中に設置する。
上記端子盤２の外側の後端に１つの第２外リング２０を設置し、第２外リング２０の形状は上記殼体１の第１内リング１３の形状と対応することによって、端子盤２と殼体１の接続方向に定位させる（図５参照）。
【００１４】
上記第２外リング２０の前端に第２凹入リング２００を設置する。
上記殼体１の第１内リング１３の第１段状槽１３０と端子盤２の第２外リング２０の第２凹入リング２００の間に第２止水シール２１を挟むことによって、水が殼体１と端子盤２の接続部からコネクタ内部に浸入することを防ぐことができる（図２参照）。
【００１５】
上記端子盤２の内部に第２長穴２２を設け、第２長穴２２を第１絶縁部品２３０及び第２絶縁部品２３１に設置し、また複数端子２４を第１絶縁部品２３０及び第２絶縁部品２３１内に設置することによって、端子２４と端子盤２を絶縁させる。
上記端子盤２の内側の後端に第２内リング２５を設け、第２内リング２５の前側に第２段状槽２５０を設置することによって、第３止水シール２６をその中に設置する。
【００１６】
端子２４、第２段状槽２５０、第１絶縁部品２３０と第２絶縁部品２３１の間に上記第３止水シール２６を挟むことによって、水が端子盤２と端子２４の接続部からコネクタ内部に浸入することを防ぐことができる（図２参照）。
上記端子盤２と殼体１の間に１つのストップワッシャー３を設置することによって、端子盤２を殼体１内にしっかり固定することによって、コネクタと信号線を精確に接続させ、上記ストップワッシャー３は金属材質により製造することができる。
【００１７】
上記端子盤２は前端部２７０と後端部２７１を持ち、前端部２７０の外径は後端部２７１の外径より小さいことによって、ストップワッシャー３を速やかに端子盤２の前端部２７０から端子盤２と殼体１の間に入れ込み、また端子盤２の後端部２７１を利用してストップワッシャー３を通してストップワッシャーを端子盤２と殼体１の間にしっかり固定する。
【００１８】
以上をまとめると、本発明は第２止水シール２１及び第３止水シール２６のコネクタ内部を利用して防水効果を与え、更にコネクタも第１止水シール１２を通して防水連結効果を備えることで、これらの三重の防水技術を利用して外部の水は絶対にコネクタ内部に浸入しないことを確保し、高速信号伝送用コネクタの防水性及び安全性を高めることが、本案の構成要件である。
【００１９】
本発明の態様又は使用方式は、以上述べた実施例に限定されるものではない。本発明の属する技術の分野における通常の知識を有する者であれば、特許請求の範囲に記載された技術的思想の範疇において、各種の変更または修正に想到し得ることは明らかであり、これらについても、当然本発明の技術的範囲に属するものと了解される。
【符号の説明】
【００２０】
１      殼体、
１０    端子盤用槽、
１１    大リング、
１１０  凹入リング、
１２    第１止水シール、
１３    内リング、
１３０  第１段状槽、
２      端子盤、
２０    後リング、
２００  凹入リング、
２１    第２止水シール、
２２    設置槽、
２３０  第１絶縁部品、
２３１  第２絶縁部品、
２４    端子、
２５    内リング、
２５０  第２段状槽、
２６    第３止水シール、
２７０  前端部、
２７１  後端部、
３      ストップワッシャー
【図１】
2019033065.tif 000003
【図２】
2019033065.tif 000004
【図３】
2019033065.tif 000005
【図４】
2019033065.tif 000006
【図５】
2019033065.tif 000007